(57)【要約】【課題】放電不良を防止するためのプラズマ表示装置及びその駆動方法を提供する。【解決手段】本発明はプラズマ表示装置及びその駆動方法に関する。本発明の表示装置によると、維持放電パルス電圧が印加されるＸ電極とＹ電極の間に中間電極（Ｍ電極）を形成する。そして、中間電極（Ｍ電極）にリセット波形及びスキャンパルス電圧を印加する。本発明によると、維持放電区間の初期にＸ電極と中間電極（Ｍ電極）の間にショートギャップ放電を行なった後、正常な維持放電区間ではＸ電極とＹ電極の間にロングギャップ放電を行なう。したがって、安定な放電を行なうことができる。また、本発明によると、Ｘ電極とＹ電極に印加される波形がほとんど対称的であるので、ほとんど同一な回路を通じてＸ電極駆動部とＹ電極駆動部を実現できる。【選択図】図２
2005165267.tif 000002
【特許請求の範囲】
【請求項１】
維持放電電圧パルスが各々印加される第１電極及び第２電極と、前記第１電極及び第２電極の間に形成される第３電極を含むプラズマ表示装置の駆動方法において、
維持放電区間で
（ａ）第１期間内に前記第１電極と前記第３電極の間にショートギャップ放電を行なう段階と、
（ｂ）第２期間内に第１電極及び第２電極の間にロングギャップ放電を行なう段階と、  を有することを特徴とするプラズマ表示装置の駆動方法。
【請求項２】
前記第１期間は最初の維持放電が起こる区間であることを特徴とする請求項１に記載のプラズマ表示装置の駆動方法。
【請求項３】
前記第２期間は最初の維持放電後の区間であることを特徴とする請求項２に記載のプラズマ表示装置の駆動方法。
【請求項４】
前記第１期間及び第２期間内に、
前記第１電極及び第２電極に各々第１電圧で前記第１電圧より大きい第２電圧に変わる維持放電電圧パルスを交互に印加し、
前記第３電極は前記第１電圧より大きい第３電圧にバイアスさせることを特徴とする請求項１乃至３のうちのいずれか一項に記載のプラズマ表示装置の駆動方法。
【請求項５】
アドレス区間において、
前記第３電極にスキャンパルス電圧を印加することを特徴とする請求項１乃至３のうちのいずれか一項に記載のプラズマ表示装置の駆動方法。
【請求項６】
前記アドレス区間内に、
前記第１電極に第１電圧を印加し、前記第２電極に前記第１電圧より大きい第２電圧を印加されることを特徴とする請求項５に記載のプラズマ表示装置の駆動方法。
【請求項７】
前記（ａ）段階は、前記第１電極及び前記第２電極に各々維持放電パルス及び第３電圧を印加し、前記第３電極に前記第３電圧より大きい第４電圧を印加することを特徴とする請求項１に記載のプラズマ表示装置の駆動方法。
【請求項８】
前記（ｂ）段階は、前記第１電極及び前記第２電極に維持放電パルスを交互に印加し、前記第３電極を前記第４電圧にバイアスさせることを特徴とする請求項１に記載のプラズマ表示装置の駆動方法。
【請求項９】
前記第１電圧は接地電圧であることを特徴とする請求項６に記載のプラズマ表示装置の駆動方法。
【請求項１０】
前記第３電圧は接地電圧であることを特徴とする請求項７に記載のプラズマ表示装置の駆動方法。
【請求項１１】
第１電極及び第２電極と、前記第１電極及び第２電極の間に形成される第３電極を含むプラズマ表示装置の駆動方法において、
（ａ）リセット区間で、前記第３電極にリセット波形を印加する段階と、
（ｂ）維持放電区間で、前記第１電極及び前記第２電極に維持放電電圧パルスを交互に印加する段階と、
を有することを特徴とするプラズマ表示装置の駆動方法。
【請求項１２】
前記リセット区間と前記維持放電区間の間のアドレス区間において、前記第３電極にスキャンパルスを印加することを特徴とする請求項１１に記載のプラズマ表示装置の駆動方法。
【請求項１３】
前記アドレス区間内に、前記第１電極に第１電圧を印加し、前記第２電極に前記第１電圧より大きい第２電圧を印加することを特徴とする請求項１２に記載のプラズマ表示装置の駆動方法。
【請求項１４】
前記維持放電区間の第１期間内に、前記第１電極及び前記第２電極に各々維持放電パルス及び第３電圧を印加し、前記第３電極に前記第３電圧より大きい第４電圧を印加することを特徴とする請求項１３に記載のプラズマ表示装置の駆動方法。
【請求項１５】
前記第１期間は最初の維持放電が起こる区間であることを特徴とする請求項１４に記載のプラズマ表示装置の駆動方法。
【請求項１６】
前記維持放電区間の第２期間内に、前記第１電極及び前記第２電極に維持放電パルスを交互に印加し、前記第３電極を前記第４電圧にバイアスさせることを特徴とする請求項１４に記載のプラズマ表示装置の駆動方法。
【請求項１７】
前記リセット区間は、
前記第３電極に消去電圧を印加する段階と、
前記第３電極に第１電圧から第２電圧に上昇する上昇波形を印加する段階と、
前記第３電極に第３電圧から第４電圧に下降する下降波形を印加する段階と、
を有することを特徴とする請求項１または１２に記載のプラズマ表示装置の駆動方法。
【請求項１８】
維持放電電圧パルスが各々印加される第１電極及び第２電極と、前記第１電極及び第２電極の間に形成される第３電極を含むプラズマ表示装置の駆動方法において、
リセット区間において、
（ａ）前記第３電極に消去電圧を印加する段階と、
（ｂ）前記第３電極に第１電圧から第２電圧に上昇する上昇波形を印加する段階と、
（ｃ）前記第３電極に第３電圧から第４電圧に下降する下降波形を印加する段階と、
を有することを特徴とするプラズマ表示装置の駆動方法。
【請求項１９】
前記（ａ）段階は、
前記第３電極に第５電圧から第６電圧に下降する波形を印加する段階と、
前記第１電極を前記第５電圧より小さい第７電圧にバイアスさせる段階と、
前記第２電極を前記第７電圧より大きい第８電圧にバイアスさせる段階と、
を有することを特徴とする請求項１８に記載のプラズマ表示装置の駆動方法。
【請求項２０】
前記第１電極に直前サブフィールドの維持放電区間で最後の維持放電電圧が印加されたことを特徴とする請求項１９に記載のプラズマ表示装置の駆動方法。
【請求項２１】
前記段階（ｂ）は、前記第３電極に上昇波形印加及び浮動を繰り返す上昇/浮動波形を印加することを特徴とする請求項１８乃至２０のうちのいずれか一項に記載のプラズマ表示装置の駆動方法。
【請求項２２】
前記段階（ｃ）は、前記第３電極に下降波形印加及び浮動を繰り返す下降/浮動波形を印加することを特徴とする請求項１８乃至２０のうちのいずれか一項に記載のプラズマ表示装置の駆動方法。
【請求項２３】
第１電極及び第２電極と、前記第１電極及び第２電極の間に形成される第３電極を含むプラズマ表示装置の駆動方法において、
（ａ）リセット区間において、前記第３電極にリセット波形を印加する段階と、
（ｂ）アドレス区間において、前記第３電極にスキャンパルスを印加する段階と、
（ｃ）維持放電区間において、前記第１電極及び前記第２電極に維持放電電圧パルスを交互に印加する段階と、
を有することを特徴とするプラズマ表示装置の駆動方法。
【請求項２４】
前記リセット区間と前記維持放電区間の間のアドレス区間において、前記第３電極にスキャンパルスを印加することを特徴とする請求項２３に記載のプラズマ表示装置の駆動方法。
【請求項２５】
前記アドレス区間内に、前記第１電極に第１電圧を印加し、前記第２電極に前記第１電圧より大きい第２電圧を印加することを特徴とする請求項２４に記載のプラズマ表示装置の駆動方法。
【請求項２６】
前記維持放電区間の第１期間において、前記第１電極及び前記第２電極に各々維持放電パルス及び第３電圧を印加し、前記第３電極に前記第３電圧より大きい第４電圧を印加することを特徴とする請求項２５に記載のプラズマ表示装置の駆動方法。
【請求項２７】
前記第１期間は最初の維持放電が起こる区間であることを特徴とする請求項２６に記載のプラズマ表示装置の駆動方法。
【請求項２８】
前記維持放電区間の第２期間において、前記第１電極及び前記第２電極に維持放電パルスを交互に印加し、前記第３電極を前記第４電圧にバイアスさせることを特徴とする請求項２６に記載のプラズマ表示装置の駆動方法。
【請求項２９】
第１電極及び第２電極と、前記第１電極及び第２電極の間に形成される第３電極を含むプラズマ表示装置の駆動方法において、
（ａ）アドレス区間において、前記第１電極に第１電圧を印加し、前記第２電極に前記第１電圧より大きい第２電圧を印加する段階と、
（ｂ）最初の維持放電区間において、前記第１電極に第３電圧を印加し、前記第２電極に第３電圧より低い第４電圧を印加し、前記第３電極に前記第１電圧または前記第４電圧より大きい第５電圧を印加する段階と、
を有することを特徴とするプラズマ表示装置の駆動方法。
【請求項３０】
前記アドレス区間において、前記第３電極にスキャンパルスを印加することを特徴とする請求項２９に記載のプラズマ表示装置の駆動方法。
【請求項３１】
第１基板及び第２基板と、
前記第１基板に各々形成され、維持放電パルス電圧が印加される第１電極と第２電極と、
前記第１電極と前記第２電極の間に形成され、リセット波形が印加される第３電極と、
前記１電極、第２電極及び第３電極を覆う誘電体層と、
前記第２基板に形成され、前記第１電極、前記第２電極及び前記第３電極と交差する方向に形成されたアドレス電極と、
前記アドレス電極を覆う誘電体層と、
前記第２基板の誘電体層上部に形成された隔壁と、
前記隔壁の間に各々塗布される蛍光体と、
を有することを特徴とするプラズマディスプレイパネル。
【請求項３２】
前記第３電極にスキャンパルス電圧が印加されることを特徴とする請求項３１に記載のプラズマディスプレイパネル。
【請求項３３】
互いに対向配置される第１基板と第２基板と、
前記第２基板に形成されるアドレス電極と、
前記第１基板と第２基板の間の空間に配置されて複数の放電セルを区画する隔壁と、
前記各々の放電セル内に形成される蛍光体層と、
前記第１基板に前記アドレス電極と交差する方向に沿って延びながら一対ずつ対をなして互いに対向配置され、前記各放電セル内部に各々延びて一対が互いに対向するように形成される突出部を有するＸ電極とＹ電極からなる維持放電電極と、
前記互いに対向する一対の維持放電電極の突出部の間に配置されて前記アドレス電極と交差する方向に沿って長く延びて形成され、スキャン電圧パルスが順次に印加される中間電極と、
を有することを特徴とするプラズマディスプレイパネル。
【請求項３４】
前記一対の維持放電電極のうちの少なくとも一側に配列される突出部の各々は中心部に凹部が形成されることを特徴とする請求項３３に記載のプラズマディスプレイパネル。
【請求項３５】
前記突出部の凹部左右に平坦部が形成されることを特徴とする請求項３３に記載のプラズマディスプレイパネル。
【請求項３６】
前記突出部の凹部に対応する中間電極の長さが前記突出部の平坦部に対応する中間電極の長さより長いことを特徴とする請求項３３乃至３５のうちのいずれか一項に記載のプラズマディスプレイパネル。
【請求項３７】
維持放電電圧パルスが印加される複数の第１電極及び第２電極と、前記第１電極及び第２電極との間に各々形成される複数の第３電極を含むプラズマディスプレイパネルと、
前記第１電極に連結されて、維持放電電圧パルスを印加する第１電極駆動部と、
前記第２電極に連結されて、維持放電電圧パルスを印加する第２電極駆動部と、
前記第３電極に連結されて、前記第３電極にリセット波形を印加するための第３電極駆動部と、
を有することを特徴とするプラズマ表示装置。
【請求項３８】
前記第１電極駆動部と前記第３電極駆動部は、前記プラズマディスプレイパネルの第１面に位置することを特徴とする請求項３７に記載のプラズマ表示装置。
【請求項３９】
前記第１電極駆動部と前記第３電極駆動部は同一印刷回路基板上に形成されることを特徴とする請求項３８に記載のプラズマ表示装置。
【請求項４０】
維持放電電圧パルスが印加される複数のＸ電極及びＹ電極と、前記Ｘ電極及びＹ電極との間に各々形成される複数の中間電極を含むプラズマディスプレイパネルと、
前記Ｘ電極に連結されて、維持放電電圧パルスを印加するＸ電極駆動部と、
前記Ｙ電極に連結されて、維持放電電圧パルスを印加するＹ電極駆動部と、
前記複数の中間電極のうち、第１群に属する複数の第１中間電極に連結されて、前記第１中間電極に順次にスキャンパルス電圧を印加する第１中間電極駆動部と、
前記複数の中間電極のうち、第２群に属する複数の第２中間電極に連結されて、前記第２中間電極に順次にスキャンパルス電圧を印加する第２中間電極駆動部と、
を有することを特徴とするプラズマ表示装置。
【請求項４１】
前記第１中間電極駆動部及び前記第２中間電極駆動部はリセット区間で前記第１中間電極及び第２中間電極に各々リセット波形を印加することを特徴とする請求項４０に記載のプラズマ表示装置。
【請求項４２】
前記第１中間電極駆動部と前記第２中間電極駆動部は前記プラズマディスプレイパネルを中心に対向することを特徴とする請求項４０または４１に記載のプラズマ表示装置。
【請求項４３】
前記第１中間電極駆動部と前記Ｘ電極駆動部は同一印刷回路基板上に形成されることを特徴とする請求項４２に記載のプラズマ表示装置。
【請求項４４】
前記第１中間電極は奇数番目中間電極であり、第２中間電極は偶数番目中間電極であることを特徴とする請求項４０または４１に記載のプラズマ表示装置。
【発明の詳細な説明】
【技術分野】
【０００１】
本発明はプラズマ表示装置及びその駆動方法に関する。
【背景技術】
【０００２】
最近、液晶表示装置（ＬＣＤ）、電界放出表示装置（ＦＥＤ）、プラズマ表示装置などの平面表示装置が活発に開発されている。これら平面表示装置の中でプラズマ表示装置は他の平面表示装置に比べて輝度及び発光効率が高くて視野角が広いという長所がある。したがって、プラズマ表示装置が４０インチ以上の大型表示装置において従来のＣＲＴを代替する表示装置として脚光を浴びている。
【０００３】
プラズマ表示装置は気体放電によって生成されたプラズマを利用して文字または映像を表示する平面表示装置であって、そのサイズによって数十から数百万個以上のピクセルがマトリックス形態に配列されている。このようなプラズマ表示装置は印加される駆動電圧波形の形態と放電セルの構造によって直流型（ＤＣ型）と交流型（ＡＣ型）に区分される。
【０００４】
直流型プラズマ表示装置は電極が放電空間にそのまま露出されていて、電圧が印加される期間内は電流が放電空間にそのまま流れ、このために電流制限のための抵抗を作らなければならないという短所がある。これに反し、交流型プラズマ表示装置では電極を誘電体層が覆っていて自然に形成される直列キャパシタンス成分で電流が制限され、放電時、イオンの衝撃から電極が保護されるので、直流型に比べて寿命が永いという長所がある。
【０００５】
図１６は従来の交流型プラズマディスプレイパネルの一部斜視図であり、図１７は図１６に示されたプラズマディスプレイパネルの断面図である。
【０００６】
図１６及び図１７を参照すると、第１ガラス基板３１１上に誘電体層３１４及び保護膜３１５で覆われたＸ電極３０３及びＹ電極３０４が対となして平行に設置される。この時、Ｘ電極及びＹ電極は透明導電性物質からなる。Ｘ電極及びＹ電極３０３、３０４の表面には金属物質からなるバス電極３０６が各々形成される。
【０００７】
第２ガラス基板３１２上には複数のアドレス電極３０５が設置され、アドレス電極３０５は誘電体層３１４’によって覆われている。アドレス電極３０５の間にある誘電体層３１４’上にはアドレス電極３０５と平行に隔壁３１７が形成されている。また、誘電体層３１４’の表面及び隔壁３１７の両側面に蛍光体３１８が形成されている。第１ガラス基板３１１と第２ガラス基板３１２はＹ電極３０４とアドレス電極３０５及びＸ電極３０３とアドレス電極３０５が直交するように放電空間３１９を間に置いて対向して配置されている。アドレス電極３０５と対をなすＹ電極３０４とＸ電極３０３との交差部分にある放電空間が放電セル３１９を形成する。
【０００８】
図１８は従来プラズマ表示装置の電極配列図を示す。図１８に示すように、従来のプラズマ表示装置電極はｍ＞ｎのマトリックス構成を有している。列方向にアドレス電極（Ａ１〜Ａｍ）が配列されており、行方向にｎ行のＹ電極（Ｙ１〜Ｙｎ）及びＸ電極（Ｘ１〜Ｘｎ）がジグザグで配列されている。図１８に示された放電セル１２０は図１６に示された放電セル３１９に対応する。
【０００９】
図１９は従来のプラズマ表示装置の駆動波形図である。図１９に示したプラズマ表示装置の駆動方法によると、各サブフィールドはリセット区間、アドレス区間、維持放電区間で構成される。なお、区間と表現される時刻範囲を期間と表現し、記述しても意味は同一である。
【００１０】
リセット区間は直前の維持放電の壁電荷状態を消去し、その次のアドレス放電を安定的に行なうために壁電荷をセットアップする役割を果たす。
【００１１】
アドレス区間はパネルで点灯されるセルと点灯されないセルを選択して点灯されるセル（アドレシングされたセル）に壁電荷を積む動作を行う期間である。
【００１２】
維持放電区間はＸ電極及びＹ電極に維持放電電圧を交互に印加して、アドレシングされたセルに実際に画像を表示するための放電を行なう期間である。
【００１３】
以下、従来のプラズマ表示装置駆動方法のリセット区間の動作をより詳細に説明する。図１９に示すように、リセット区間は消去区間、Ｙランプ上昇区間及びＹランプ下降区間で構成される。
【００１４】
（１）消去区間（I）  
この区間内には、Ｘ電極を一定の電位にバイアスさせた状態でＹ電極に維持放電電圧（Ｖｓ）から接地電位まで徐々に下降する下降ランプ（記号Ｉ）を印加して、直前の維持放電区間で形成された壁電荷を除去する。
【００１５】
（２）Ｙランプ上昇区間（II）  
この区間内にはアドレス電極及びＸ電極を０Ｖに維持し、Ｙ電極に電圧Ｖｓから電圧Ｖｓｅｔに向かってなだらかに上昇するランプ電圧（記号II）を印加する。このランプ電圧が上昇する期間中に全ての放電セルではＹ電極からアドレス電極及びＸ電極に各々微弱なリセット放電が起こる。その結果、Ｙ電極に（-）壁電荷が蓄積され、同時にアドレス電極及びＸ電極に（+）壁電荷が蓄積される。
【００１６】
（３）Ｙランプ下降区間（III）  
次いで、リセット期間の後半にはＸ電極を定電圧Ｖｂｉａｓに維持した状態で、Ｙ電極に電圧Ｖｓから接地電圧に向かってなだらかに下降するランプ電圧（記号III）を印加する。このランプ電圧が下降する期間中に再び全ての放電セルでは微弱なリセット放電が起こる。
【発明の開示】
【発明が解決しようとする課題】
【００１７】
しかしながら、従来のプラズマ表示装置によると、アドレス期間後、最初の維持放電パルス印加時に放電セル内に十分なプライミング電荷が生成されていないために、放電不良が発生するという問題点があった。
【００１８】
一方、維持放電区間ではＸ電極及びＹ電極に同一な維持放電電圧を交互に印加して、アドレシングされたセルに実際に画像を表示するための維持放電を行なう。この時、維持放電区間にＸ電極及びＹ電極に印加される波形は対称的な波形が印加されることが好ましい。しかし、従来のプラズマ表示装置によると、リセット区間にＹ電極（Ｙ電極にはリセット及びスキャンのための波形が追加的に印加される）に印加される波形とＸ電極に印加される波形が異なるために、Ｙ電極を駆動するための回路とＸ電極を駆動するための回路が異なる。これにより、Ｘ電極及びＹ電極の駆動回路がインピーダンスマッチングされないため、維持放電区間でＸ電極及びＹ電極に交互に印加される波形が歪曲されて、放電不良が発生する問題点が発生する。
【００１９】
本発明が目的とする技術的課題は、このような従来技術の問題点を解決するためのものであって、放電不良を防止するためのプラズマ表示装置及びその駆動方法を提供することにある。
【課題を解決するための手段】
【００２０】
前記のような目的を達成するための本発明の一つの特徴によるプラズマ表示装置の駆動方法は、維持放電電圧パルスが各々印加される第１電極及び第２電極と、前記第１電極及び第２電極の間に形成される第３電極を含むプラズマ表示装置の駆動方法であって、維持放電区間において、（ａ）第１期間内に前記第１電極と前記第３電極の間にショートギャップ放電を行なう段階;及び（ｂ）第２期間内に第１及び第２電極の間にロングギャップ放電を行なう段階を含む。
【００２１】
一方、本発明の他の特徴によるプラズマ表示装置の駆動方法は、第１電極及び第２電極と、前記第１電極及び第２電極の間に形成される第３電極を含むプラズマ表示装置の駆動方法であって、（ａ）リセット区間において、前記第３電極にリセット波形を印加する段階;及び（ｂ）維持放電区間において、前記第１電極及び前記第２電極に維持放電電圧パルスを交互に印加する段階を含む。
【００２２】
一方、本発明のまた他の特徴によるプラズマ表示装置の駆動方法は、維持放電電圧パルスが各々印加される第１電極及び第２電極と、前記第１電極及び第２電極の間に形成される第３電極を含むプラズマ表示装置の駆動方法であって、リセット区間において、
（ａ）前記第３電極に消去電圧を印加して、維持放電区間に形成された壁電荷を消去させる段階;（ｂ）前記第３電極に第１電圧から第２電圧に上昇する上昇波形を印加して、全ての放電セルに放電を起こして壁電荷を形成する段階;及び（ｃ）前記第３電極に第３電圧から第４電圧に下降する下降波形を印加して前記段階で形成された壁電荷を除去する段階を含む。
【００２３】
一方、本発明のまた他の特徴によるプラズマ表示装置の駆動方法は、第１電極及び第２電極と、前記第１電極及び第２電極の間に形成される第３電極を含むプラズマ表示装置の駆動方法であって、（ａ）リセット区間において、前記第３電極にリセット波形を印加する段階;（ｂ）アドレス区間において、前記第３電極にスキャンパルスを印加する段階;及び（ｃ）維持放電区間において、前記第１電極及び前記第２電極に維持放電電圧パルスを交互に印加する段階を含む。
【００２４】
一方、本発明のまた他の特徴によるプラズマ表示装置の駆動方法は、第１電極及び第２電極と、前記第１電極及び第２電極の間に形成される第３電極を含むプラズマ表示装置の駆動方法であって、（ａ）アドレス区間において、前記第１電極に第１電圧を印加し、前記第２電極に前記第１電圧より大きい第２電圧を印加する段階;及び（ｂ）最初の維持放電区間において、前記第１電極に第３電圧を印加し、前記第２電極に第３電圧より低い第４電圧を印加し、前記第３電極に前記第１電圧または前記第４電圧より大きい第５電圧を印加する段階を含む。
【００２５】
一方、本発明の特徴によるプラズマディスプレイパネルは、第１基板及び第２基板と;前記第１基板に各々形成され、維持放電パルス電圧が印加される第１電極と第２電極;前記第１電極と前記第２電極の間に形成され、リセット波形が印加される第３電極;前記１電極、第２電極及び第３電極を覆う誘電体層;前記第２基板に形成され、前記第１電極、前記第２電極及び前記第３電極と交差する方向に形成されたアドレス電極;前記アドレス電極を覆う誘電体層;前記第２基板の誘電体層上部に形成された隔壁;及び
前記隔壁の間に各々塗布される蛍光体を含む。
【００２６】
一方、本発明の他の特徴によるプラズマディスプレイパネルは、互いに対向配置される第１基板と第２基板;前記第２基板に形成されるアドレス電極;前記第１基板と第２基板の間の空間に配置されて複数の放電セルを区画する隔壁;前記各々の放電セル内に形成される蛍光体層;前記第１基板に前記アドレス電極と交差する方向に沿って延びながら一対ずつ対をなして互いに対向配置され、前記各放電セル内部に各々延びて一対が互いに対向するように形成される突出部を有するＸ電極とＹ電極からなる維持放電電極;及び前記互いに対向する一対の維持放電電極突出部の間に配置されて前記アドレス電極と交差する方向に沿って長く延びて形成され、スキャン電圧パルスが順次に印加される中間電極を含む。
【００２７】
本発明の特徴によるプラズマ表示装置は、維持放電電圧パルスが印加される複数の第１電極及び第２電極と、前記第１電極及び第２電極の間に各々形成される複数の第３電極を含むプラズマディスプレイパネル；前記第１電極に連結されて、維持放電電圧パルスを印加する第１電極駆動部；前記第２電極に連結されて、維持放電電圧パルスを印加する第２電極駆動部；及び前記第３電極に連結されて、前記第３電極にリセット波形を印加するための第３電極駆動部を含む。
【００２８】
一方、本発明の他の特徴によるプラズマ表示装置は、維持放電電圧パルスが印加される複数のＸ電極及びＹ電極と、前記Ｘ電極及びＹ電極の間に各々形成される複数の中間電極を含むプラズマディスプレイパネル；前記Ｘ電極に連結されて、維持放電電圧パルスを印加するＸ電極駆動部；前記Ｙ電極に連結されて、維持放電電圧パルスを印加するＹ電極駆動部；前記複数の中間電極のうち、第１群に属する複数の第１中間電極に連結されて、前記第１中間電極に順次にスキャンパルス電圧を印加する第１中間電極駆動部；及び前記複数の中間電極のうち、第２群に属する複数の第２中間電極に連結されて、前記第２中間電極に順次にスキャンパルス電圧を印加する第２中間電極駆動部を含むプラズマ表示装置。
【発明の効果】
【００２９】
本発明によると、Ｘ電極とＹ電極の間に中間電極を形成して中間電極にリセット波形及びスキャン波形を印加し、Ｘ電極及びＹ電極に維持放電電圧波形を印加することにより、放電不良を防止できる。
【発明を実施するための最良の形態】
【００３０】
以下、添付した図面を参照して本発明の実施例について本発明の属する技術分野における通常の知識を有する者が容易に実施できるように詳細に説明する。しかし、本発明は多様で相異な形態で実現でき、ここで説明する実施例に限定されない。図面で本発明を明確に説明するために説明と関係ない部分は省略した。明細書全体にかけて類似な部分については同一な図面符号を付けた。
【００３１】
図１は本発明の実施例によるプラズマ表示装置の電極配列図を示す。図１に示すように、本発明の実施例によるプラズマ表示装置は列方向にアドレス電極（Ａ１〜Ａｍ）が平行に配列されており、ｎ/２+１行のＹ電極（Ｙ１〜Ｙｎ/２+１）、Ｘ電極（Ｘ１〜Ｘｎ/２+１）及びｎ行の中間電極（以下、´Ｍ電極’と言う）が行方向に配列されている。つまり、本発明の実施例によると、Ｙ電極及びＸ電極の中間にＭ電極が配列されており、Ｙ電極、Ｘ電極、Ｍ電極及びアドレス電極が一つの放電セル３０を構成する４電極構造を有する。
【００３２】
この時、本発明の実施例によると、Ｘ電極及びＹ電極は主に維持放電電圧波形を印加するための電極の役割を果たし、Ｍ電極は主にリセット波形及びスキャンパルス電圧を印加するための役割を果たす。
【実施例１】
【００３３】
図２は本発明の第１実施例によるプラズマ表示装置の駆動波形図であり、図３（Ａ）乃至図４は図２に示した駆動波形による壁電荷分布を示す図面である。
【００３４】
以下、図２、図３（Ａ）乃至図４を参照して、本発明の第１実施例による駆動方法を説明する。図２に示した本発明の第１実施例による駆動方法によると、各サブフィールドはリセット区間、アドレス区間、維持放電区間で構成される。
【００３５】
本発明の実施例によると、リセット区間は消去区間、Ｍ電極上昇波形区間及びＭ電極下降波形区間からなる。
【００３６】
（１-１）消去区間（記号Ｉ）  
この区間は直前の維持放電区間に形成された壁電荷を消去する役割を果たす。本発明の実施例によると、維持放電区間の最後の時点にＸ電極に維持放電電圧パルスが印加され、Ｙ電極にはＸ電極に印加された電圧より低い電圧（例えば、接地電圧）が印加されたと仮定する。その結果、図３（Ａ）のように、Ｙ電極及びアドレス電極には（+）壁電荷が形成され、Ｘ電極及びＭ電極には（-）壁電荷が形成される。
【００３７】
消去区間ではＹ電極を電圧Ｖｙｃにバイアスさせた状態で、Ｍ電極にＶｍｃ電圧から接地電圧まで変化するランプ波形、または、なだらかに下降する波形（関数変換波形など）を印加する。その結果、図３（Ａ）に示したように維持放電区間に形成された壁電荷が消去される。関数変換波形としては、図２のＭ電極信号左端に示された三角波（時間軸と電圧軸が線形の関係）、対数波形（電圧が時間の対数に対して線形の関係）、飽和波形（電圧＝V0（１−exp（−t/T0））、t＝時間）など各種の波形が、波形発生器から得られる。
【００３８】
（１-２）Ｍ電極上昇波形区間（記号II）  
この区間内にはＸ電極及びＹ電極を接地電圧にバイアスさせた状態で、Ｍ電極に電圧ＶｍｄからＶｓｅｔに変化するランプ波形、または、なだらかに上昇する波形（関数変換波形など）を印加する。この上昇波形が印加される間に、全ての放電セルではＭ電極からアドレス電極、Ｘ電極及びＹ電極に各々微弱なリセット放電が起こる。その結果、図３（Ｂ）に示したように、Ｍ電極に（-）壁電荷が蓄積され、同時にアドレス電極、Ｘ電極及びＹ電極には（+）壁電荷が蓄積される。
【００３９】
（１-３）Ｍ電極下降波形区間（記号III）  
次いで、リセット期間の後半にはＸ電極及びＹ電極を各々ＶｘｅとＶｙｅにバイアスさせた状態で、Ｍ電極に電圧Ｖｍｅから接地電圧に向かって変化するランプ波形、または、なだらかに下降する関数波形を印加する。この時、Ｖｘｅ=Ｖｙｅ、Ｖｍｄ=Ｖｍｅに設定することが回路構成を簡単にできるという点で好ましいが、必ずしも、これに限られるわけではない。
【００４０】
このランプ電圧が下降する間に再び全ての放電セルでは微弱なリセット放電が起こる。この時、Ｍ電極下降波形区間はＭ電極上昇波形区間によって積まれた壁電荷を徐々に減少させるためのものであるので、下降波形の時間を長くするほど（つまり、傾きをなだらかにするほど）減少する壁電荷量を精密に制御できるためにアドレス放電に有利である。
【００４１】
Ｍ電極に下降波形を印加した結果、全てのセルの各電極に積まれた壁電荷が均等に消去されて、図３（Ｃ）に示されているようにアドレス電極には（+）壁電荷が蓄積され、同時にＸ電極、Ｙ電極及びＭ電極には（-）壁電荷が蓄積される。
【００４２】
（２）アドレス区間（スキャン区間）  
アドレス区間では複数のＭ電極をＶｓｃ電圧にバイアスさせた状態でＭ電極に順次にスキャン電圧（例えば、接地電圧）をもつ、下向きのスキャンパルスを印加し、同時にアドレス電極には放電を望むセル（つまり、点灯されるセル）にアドレス電圧Ｖａを印加する。この時、Ｘ電極は接地電圧に維持し、Ｙ電極には電圧Ｖｙｅを印加する（つまり、Ｙ電極にＸ電極の電圧より高い電圧を印加する。）。
【００４３】
その結果、Ｍ電極とアドレス電極の間の放電が起こりながら、放電がＸ電極及びＹ電極に拡張され、その結果図３（Ｄ）に示したように、Ｘ電極及びＭ電極には（+）電荷が蓄積され、Ｙ電極及びアドレス電極には（-）壁電荷が蓄積される。
【００４４】
（３）維持放電区間  
本発明の実施例における維持放電区間の状況を見ると、Ｍ電極を維持放電電圧Ｖｍにバイアスさせた状態で、Ｘ電極及びＹ電極に維持放電電圧パルスを交互に印加する。このような電圧の印加を通じてアドレス区間にて選択された放電セルには維持放電が起こる。
【００４５】
この時、本発明の実施例によると、維持放電初期と正常時点では互いに異なる放電メカニズムによって放電が生じる。以下では説明の便宜上、維持放電初期に発生する放電をショートギャップ放電と称し、正常時点の放電をロングギャップ放電と称する。
【００４６】
（３-１）ショートギャップ放電  
維持放電の開始区間では図４の（ａ）、（ｂ）に示したように、Ｘ電極に（+）電圧パルスが印加され、Ｙ電極に（-）電圧パルスが印加されるが（ここで、+及び-の符号はＸ電極に印加された電圧とＹ電極に印加された電圧のサイズを比較した相対的な概念であって、Ｘ電極に+パルス電圧が印加されたという意味はＸ電極にＹ電極より大きい電圧が印加されたということを意味する。）、同時にＭ電極に（+）電圧パルスが印加される。したがって、Ｘ電極及びＹ電極の間でだけ放電が起こる従来構造とは異なり、Ｘ電極及び/又はＭ電極とＹ電極との放電が起こる。特に、本発明の実施例によると、Ｘ電極及びＹ電極の間の距離よりＭ電極とＹ電極の間の距離がさらに近いために、Ｍ電極とＹ電極の間に印加される電界がさらに大きくなる。したがって、Ｍ電極とＹ電極の間の放電がＸ電極とＹ電極の間の放電より主導的な役割を果たす。このように、本発明の実施例では維持放電初期に相対的に距離が短いＭ電極とＹ電極の間の放電が主導的な役割を果たすので、ショートギャップ放電と称するわけである。
【００４７】
このように、本発明の実施例によると、維持放電初期に相対的に高い電界が印加されて行なわれるショートギャップ放電が発生するので、アドレス期間後、最初の維持放電パルス印加時に放電セル内に十分なプライミング電荷が生成されていなくても、十分な放電を行なうことができる。
【００４８】
（３-２）ロングギャップ放電  
維持放電の最初の維持放電パルス印加後には、Ｍ電極の電圧が一定の電圧（Ｖｍ）にバイアスされ、この電圧値がＶｓに近いために、放電可能電界の極性が固定されてＭ電極の表面電荷が殆ど変化しない。従って、放電が形成されても規模が小さいから、Ｍ電極とＸ電極の間の放電またはＭ電極とＹ電極の間の放電（つまり、ショートギャップ放電）は放電エネルギーに寄与する程度が小さくて、主放電はＸ電極及びＹ電極の間の交流放電となり、結局Ｘ電極及びＹ電極に交互に印加される放電パルス数により輝度が決定されて、入力された映像が表示される。
【００４９】
つまり、図４の（ｄ）に示すように、定常状態の維持放電区間ではＭ電極には（-）壁電荷が継続して蓄積され、Ｘ電極及びＹ電極には交互に（-）壁電荷と（+）壁電荷が蓄積される。
【００５０】
このように本発明の実施例によると、維持放電初期にはＸ電極とＭ電極（またはＹ電極とＭ電極の間）のショートギャップ放電によって放電を行なうためにプライミングパーティクルが少ない状態でも十分な放電を行い、正常な状態ではＸ電極及びＹ電極の間のロングギャップ放電によって放電を行なうために安定な放電を行なうことができる。
【００５１】
また、本発明の実施例によると、Ｘ電極とＹ電極にほとんど対称的な電圧波形が印加されるために、Ｘ電極及びＹ電極を駆動するための回路をほとんど同一に設計できる。したがって、Ｘ電極及びＹ電極の間の回路インピーダンスの差をほとんどなくすことができるので、維持放電区間でＸ電極及びＹ電極に印加されるパルス波形の歪曲を減少させて安定な放電を図ることができる。
【００５２】
図３（Ａ）〜４に示した本発明の第１実施例によると、Ｘ電極とＹ電極の波形は互いに変わっても駆動が可能であり、また、アドレス区間でＸ電極とＹ電極との波形が互いに変わっても駆動が可能である。
【００５３】
前述した本発明の第１実施例による駆動方法によると、Ｍ電極には主にリセット波形及びスキャンパルス波形が印加され、Ｘ電極及びＹ電極には主に維持電圧波形が印加される。この時、Ｍ電極に印加されるリセット波形は図２に示したリセット波形だけでなく、多様な形態のリセット波形が印加できる。
【実施例２】
【００５４】
図５は他の形態のリセット波形を印加した本発明の第２実施例によるプラズマ表示装置の駆動波形図である。
【００５５】
以下、図５及び図３（Ａ）乃至図４を参照して本発明の第２実施例による駆動方法を説明する。図５に示した本発明の第２実施例による駆動方法によると、各サブフィールドはリセット区間、アドレス区間、維持放電区間で構成される。この時、アドレス区間及び維持放電区間についての説明は図２に示した駆動方法と同一であるので、以下では重複説明を省略する。
【００５６】
本発明の第２実施例によると、リセット区間は消去区間、Ｍ電極上昇/浮動波形区間及びＭ電極下降/浮動波形区間からなる。
【００５７】
（１）消去区間  
この区間は直前の維持放電区間に形成された壁電荷を消去する役割を果たす。本発明の第２実施例によると、維持放電区間の最後の時点にＸ電極に維持放電電圧パルスが印加され、Ｙ電極には接地電圧が印加されたと仮定する。以下、Ｙ電極及びアドレス電極には（+）壁電荷が形成され、Ｘ電極及びＭ電極には（-）壁電荷が形成される。
【００５８】
消去区間ではＹ電極を電圧Ｖｙｃにバイアスさせた状態で、Ｍ電極にＶｍｃ電圧から接地電圧まで変化するランプ波形、または、なだらかに下降する関数波形を印加する。その結果、図３（Ａ）に示したように、維持放電区間に形成された壁電荷が消去される。
【００５９】
（２）Ｍ電極上昇/浮動波形区間  
この区間内にはＸ電極及びＹ電極を接地電圧にバイアスさせた状態で、Ｍ電極に電圧ＶｍｄからＶｓｅｔに上昇波形印加及び浮動が繰り返される上昇/浮動波形を印加する。この上昇/浮動波形が印加される間に、全ての放電セルではＭ電極からアドレス電極、Ｘ電極及びＹ電極に各々微弱なリセット放電が起こる。より具体的に説明すれば、Ｍ電極に上昇波形が印加される場合、全ての放電セルではリセット放電が起こって壁電荷が蓄積され、Ｍ電極を浮動させる間には放電空間の放電が急激に消滅する。
【００６０】
その結果、図３（Ｂ）に示したように、Ｍ電極に（-）壁電荷が蓄積され、同時にアドレス電極、Ｘ電極及びＹ電極には（+）壁電荷が蓄積される。
【００６１】
（３）Ｍ電極下降/浮動波形区間（III）  
次に、リセット期間の後半にはＸ電極及びＹ電極を各々Ｖｘｅ及びＶｙｅにバイアスさせた状態で、Ｍ電極に電圧Ｖｍｅから接地電圧に向かって下降波形印加及び浮動を繰り返す下降/浮動波形を印加する。この下降/浮動波形が印加される間に再び全ての放電セルでは微弱なリセット放電が起こる。
【００６２】
Ｍ電極に下降/浮動波形を印加した結果、全てのセルへの各電極に積まれた壁電荷が均等に消去されて、図３（Ｃ）に示したようにアドレス電極には（+）壁電荷が蓄積され、同時にＸ電極、Ｙ電極及びＭ電極には（-）壁電荷が蓄積される。
【００６３】
図２及び図５に示した印加波形の他にも３電極構造で用いられる様々な形態のリセット波形がＭ電極に印加できる。このような様々な形態のリセット波形を本発明の実施例による４電極構造に適用することは、前述した内容から当業者が容易に分かることであるので、以下では説明を省略する。但し、様々な形態のリセット波形を本発明の実施例による４電極構造に適用する場合、次の４条件を満足させることが好ましい。
【００６４】
第一条件は、上昇リセット波形区間でＭ電極に印加される電圧波形（Ｒｍ（ｖ））がＸ電極に印加される電圧波形（Ｒｘ（ｖ））またはＹ電極に印加される電圧波形（Ｒｙ（ｖ））より大きく設定されなければならない（Ｒｍ（ｖ）〉（Ｒｘ（ｖ）ｏｒＲｙ（ｖ））。
【００６５】
第二条件は、下降リセット波形区間において、Ｍ電極に印加される電圧波形（Ｆｍ（ｖ））がＸ電極に印加される電圧波形（Ｆｘ（ｖ））またはＹ電極に印加される電圧波形（Ｆｙ（ｖ））より小さく設定されなければならない（Ｆｍ（ｖ）〈（Ｆｘ（ｖ）ｏｒＦｙ（ｖ））。
【００６６】
第三条件は、アドレス区間において、Ｍ電極に印加される電圧波形（Ａｍ（ｖ））がＸ電極に印加される電圧波形（Ａｘ（ｖ））またはＹ電極に印加される電圧波形（Ａｙ（ｖ））より小さく設定されなければならない（Ａｍ（ｖ）〈（Ａｘ（ｖ）ｏｒＡｙ（ｖ））。
【００６７】
第四条件は、維持放電区間において、Ｍ電極に印加される電圧波形（Ｓｍ（ｖ））がＸ電極に印加される電圧波形（Ｓｘ（ｖ））またはＹ電極に印加される電圧波形（Ｓｙ（ｖ））より大きく設定されなければならない（Ａｍ（ｖ）〈（Ａｘ（ｖ）ｏｒＡｙ（ｖ））。また、維持放電区間でＭ電極に印加される電圧波形（Ｓｍ（ｖ））がアドレス区間でＭ電極に印加される電圧波形（Ａｍ（ｖ））より大きくなければならない（Ｓｍ（ｖ）〉Ａｍ（ｖ））。
【００６８】
（プラズマ表示装置）  
図６は本発明の第１実施例によるプラズマ表示装置を示す図面である。図６に示したように、本発明の第１実施例によるプラズマ表示装置はプラズマディスプレイパネル１００、アドレス駆動部２００、Ｙ電極駆動部３００、Ｘ電極駆動部４００、Ｍ電極駆動部５００及び制御部６００を含む。
【００６９】
プラズマディスプレイパネル１００は列方向に配列されている複数のアドレス電極（Ａ１〜Ａｍ）、行方向に配列されている複数のＹ電極（Ｙ１〜Ｙｎ）、Ｘ電極（Ｘ１〜Ｘｎ）及びＭｉｊ電極を含む。この時、Ｍｉｊ電極はＹｉ電極及びＸｊ電極の間に形成される電極を意味する。
【００７０】
アドレス駆動部２００は制御部６００からアドレス駆動制御信号（ＳＡ）を受信して表示しようとする放電セルを選択するための表示データ信号を各アドレス電極に印加する。
【００７１】
Ｙ電極駆動部３００及びＸ電極駆動部４００は制御部６００から各々Ｙ電極駆動信号（ＳＹ）とＸ電極駆動信号（ＳＸ）を受信してＹ電極とＸ電極に印加する。
【００７２】
Ｍ電極駆動部５００は制御部６００からＭ電極駆動信号（ＳＭ）を受信してＭ電極に印加する。この時、Ｍ電極駆動部５００及びＸ電極駆動部４００を同一な印刷回路基板（以下、‘ＰＣＢ'と言う）に設置すれば、回路構成をコンパクトにできるので好ましい。
【００７３】
制御部６００は外部から映像信号を受信して、アドレス駆動制御信号（ＳＡ）、Ｙ電極駆動信号（ＳＹ）、Ｘ電極駆動信号（ＳＸ）及びＭ電極駆動信号（ＳＭ）を生成して各々アドレス駆動部２００、Ｙ電極駆動部３００、Ｘ電極駆動部４００及びＭ電極駆動部５００に伝達する。
【００７４】
この時、本発明の第１実施例によると、Ｙ電極駆動部３００とＸ電極駆動部４００はプラズマパネルを基準に反対側面に配置されており、Ｍ電極駆動部５００はプラズマパネルの一側面（図６ではＸ電極駆動部側）に配置されている。つまり、本発明の第１実施例によると、全てのＭ電極がプラズマパネルの一側面に位置したＭ電極駆動部５００に連結されている。
【００７５】
図７は本発明の第１実施例による電極配列構造を示す図面である。図７に示したように、本発明の第１実施例によると、Ｙ電極とＸ電極の間に各々Ｍ電極が配列されている。図７では便宜上Ｘ電極、Ｙ電極及びＭ電極を各々駆動するための駆動部が位置する所に各電極の図面符号を記載した。
【００７６】
つまり、図７によると、Ｙ電極を駆動するための駆動部が左側部分に配置されているためにＹ電極の左側部分に図面符号を付けて、Ｘ電極及びＭ電極を駆動するための駆動部が右側部分に配置されているために、Ｘ電極及びＭ電極の右側に図面符号を付けた。
【００７７】
このような電極配列構造でアドレス区間中のＭ電極のスキャン順序は、毎回1行駆動のシングルスキャンの場合（スキャン方向がパネルの上から下方に進行すると仮定する時）、Ｍ１、Ｍ２、Ｍ３、…、ＭＭ１、ＭＭ２、ＭＭ３順にスキャンされる。そして、毎回２行駆動のデュアルスキャンの場合には（Ｍ１、ＭＭ１）、（Ｍ２、ＭＭ２）、（Ｍ３、ＭＭ３）順にスキャンされる。
【００７８】
一方、本発明の第１実施例によるプラズマ表示装置によると、Ｍ電極全部がパネルの一方の側にあるＭ電極駆動部５００に連結されるために、高解像度を実現するために多くのＭ電極が必要な場合、Ｍ電極とＭ電極駆動部と連結するための連結端子線（図示せず）が増加して連結端子線の間の間隔が狭くなる問題がある。したがって、本発明の第１実施例によるプラズマ表示装置の高解像度を実現するために電極数が増加する場合、Ｍ電極とＭ電極駆動部５００には連結の難しさがありえる。
【００７９】
図８は本発明の第２実施例によるプラズマ表示装置を示す図面であり、図９は本発明の第２実施例による電極配列構造を示す図面である。図８に示すように、本発明の第２実施例によるプラズマ表示装置はプラズマディスプレイパネル１００、アドレス駆動部２００、Ｙ電極駆動部３００、Ｘ電極駆動部４００、第１Ｍ電極駆動部５２０、第２Ｍ電極駆動部５４０及び制御部６００を含む。
【００８０】
図８に示した本発明の第２実施例によるプラズマ表示装置によると、プラズマディスプレイパネル１００の両側面に各々奇数ラインのＭ電極と偶数ラインのＭ電極を駆動するための第１及び第２Ｍ電極駆動部５２０、５４０が配置されている。図８に示した構成要素のうちの図６に示した構成要素と同一な機能及び役割を果たす構成要素については同一な図面符号を付けており、以下、重複説明は省略する。
【００８１】
図右端の第１Ｍ電極駆動部５２０には奇数ラインのＭ電極が連結されており、制御部６００から奇数ラインのＭ電極を駆動するためのＭ電極駆動信号（ＳＭ１）を受信してＭ電極に印加する。図左端の第２Ｍ電極駆動部５４０には偶数ラインのＭ電極が連結されており、制御部６００から偶数ラインのＭ電極を駆動するためのＭ電極駆動信号（ＳＭ２）を受信してＭ電極に印加する。この時、第１Ｍ電極駆動部５２０及びＸ電極駆動部４００と、第２Ｍ電極駆動部５４０及びＹ電極駆動部３００を各々同一ＰＣＢに設置することが好ましい。
【００８２】
本発明の第２実施例によるプラズマ表示装置によると、奇数ラインのＭ電極はパネルの一方の側にある第１Ｍ電極駆動部５２０に連結され、偶数ラインのＭ電極はパネルの他方の側にある第２Ｍ電極駆動部５４０に連結されるために、いずれの側でもＭ電極に連結する端子線の本数が半分になって、高解像度を実現するために多くのＭ電極が必要な場合にも奇数ラインのＭ電極と第１Ｍ電極駆動部と連結するための連結端子線（または偶数ラインのＭ電極と第２Ｍ電極駆動部と連結するための連結端子線）の連結空間に余裕が生まれ、必要空間が図６に示した本発明の第１実施例で必要な端子線空間の半分になる。
【００８３】
したがって、本発明の第２実施例によるプラズマ表示装置によると、高解像度を実現するために電極数が増加する場合にも端子連結が容易になるという長所がある。
【００８４】
図８及び図９に示した電極配列構造でアドレス区間中のＭ電極のスキャン順序は次の通りである。まず、シングルスキャンの場合にはＭＬ１、ＭＬ２、ＭＬ３、…、ＭＲ１、ＭＲ２、ＭＲ３順にスキャンできる。この場合、奇数Ｍ電極のスキャンラインの方向と偶数Ｍ電極のスキャンラインの方向が一致するために、パネル放電特性の非均一化がありえる。
【００８５】
したがって、シングルスキャンの場合ＭＬ１、ＭＬ２、ＭＬ３、…、…、ＭＲ３、ＭＲ２、ＭＲ１の順にスキャンする（つまり、奇数Ｍ電極のスキャンラインの上下進行方向と偶数Ｍ電極のスキャンラインの上下進行方向を反対にする）ことがパネルの放電特性側面で有利である。
【００８６】
デュアルスキャンの場合には（ＭＬ１、ＭＭＬ１）、（ＭＬ２、ＭＭＬ２）、..、（ＭＲ２、ＭＭＲ２）、（ＭＲ１、ＭＭＲ１）順にスキャンしたり、（ＭＬ１、ＭＭＬ１）、（ＭＬ２、ＭＭＬ２）…、…、（ＭＲ１、ＭＭＲ１）、（ＭＲ２、ＭＭＲ２）順にスキャンすることもできる。
【００８７】
本発明の第２実施例によるプラズマ表示装置によると、奇数ラインのＭ電極と偶数ラインのＭ電極を各々プラズマパネルの右側と左側にある第１Ｍ電極駆動部５２０及び第２Ｍ電極駆動部５４０に連結したが、その他にもＭ電極を多様な方法で群化して各々の群を右側と左側にある第１及び第２Ｍ電極駆動部５２０、５４０に連結できる。
【００８８】
（プラズマディスプレイパネル）  
図１０は本発明の第１実施例によるプラズマディスプレイパネルの斜視図であり、図１１は図１０に示したプラズマディスプレイパネルの断面図である。
【００８９】
図１０及び図１１を参照すると、本発明の第１実施例によるプラズマディスプレイパネルは第１基板４１及び第２基板４２を備える。前記第１基板４１にはＸ電極５３とＹ電極５４が形成される。また、前記Ｘ電極５３とＹ電極５４の上部にはバス電極４６が形成される。前記Ｘ及びＹ電極５３、５４の上部には第１誘電体層４４と保護膜４５が順次に形成される。
【００９０】
一方、第２基板４２の表面にはアドレス電極５５が形成され、前記アドレス電極５５の上部には第２誘電体層４４’が形成される。前記第２誘電体層４４’の上部には隔壁４７が形成されることにより、隔壁４７の間に放電空間であるセル４９が形成される。隔壁４７の間のセル空間で隔壁４７の表面には蛍光体４８が塗布される。前記Ｘ及びＹ電極５３、５４は前記アドレス電極５５に対して相互直角で形成される。
【００９１】
この時、本発明の第１実施例によると、第１基板４１の表面に形成された一対のＸ電極５３とＹ電極５４の間に中間電極５６が形成され、基板上に並んだＸ電極、中間電極、Ｙ電極の上を誘電体が覆う構造になる。前述したように、この中間電極には主にリセット波形及びスキャン波形が印加される。中間電極５６の上部にバス電極４６が形成される。
【００９２】
図１０及び図１１に示した本発明の第１実施例によるプラズマディスプレイパネルはＸｉ電極及びＹｉ電極の間と、Ｙｉ電極及びＸｉ+１電極の間に全て中間電極が配置されている構造を示す図面である。つまり、ｎ/２+１個のＸ電極及びＹ電極がある場合、ｎ個のＭ電極がある構造を示す。
【００９３】
しかし、図１２に示したように、Ｘｉ電極５３及びＹｉ電極５４の間にだけＭ電極５６が存在し、Ｙｉ電極及びＸｉ+１電極の間にはＭ電極が存在しない電極配列を有することもできる。このような場合、Ｘ電極、Ｙ電極及びＭ電極の各個数がｎ個となり、同一個数である。
【００９４】
図１３は本発明の第２実施例によるプラズマディスプレイパネルを概略的に示した部分平面図であり、図１４は図１３のＡ-Ａ線に沿って切断して見た部分断面図である。
【００９５】
図１３及び図１４を参照すると、本発明の第２実施例によるプラズマディスプレイパネルは第１基板１００と第２基板２００を備える。第２基板２００上に一方向（図面のｙ軸方向）に沿って複数のアドレス電極２１０が形成され、第１基板１００上に前記アドレス電極２１０と直交する方向（図面のｘ軸方向）に沿って複数のＸ電極１３０とＹ電極１４０が形成される。Ｘ電極１３０とＹ電極１４０は対をなして各放電セル２７０に対応される。また、前記第１基板１００にはＸ電極及びＹ電極１３０、１４０を覆いながら誘電体層８０と保護膜７０が順次に形成され、前記第２基板２００にはアドレス電極２１０を覆いながら誘電体層２３０が形成される。
【００９６】
前記第１基板１００と第２基板２００の間の空間には複数の隔壁１５０が形成されるが、このような隔壁１５０は互いに隣接するアドレス電極２１０の間に各々配置されながらアドレス電極２１０と平行な方向に沿って形成されてプラズマ放電に必要な放電セル２７０を区画する。
【００９７】
一方、維持放電電極をなすＸ電極１３０とＹ電極１４０の各々は再び突出電極１３０ａ、１４０ａとバス電極１３０ｂ、１４０ｂからなる。ここで、突出電極１３０ａ、１４０ａは放電セル２７０内部でプラズマ放電を起こす役割を果たすもので、輝度確保のために透明電極であるＩＴＯ電極を用いるのが好ましく、バス電極１３０ｂ、１４０ｂはこのような透明電極の高い抵抗を補償して通電性を確保するためのもので、金属電極を用いるのが好ましい。この時、各放電セル２７０に対応する一対のバス電極１３０ｂ、１４０ｂは川字型に互いに平行に形成され、突出電極１３０ａ、１４０ａは各々のバス電極１３０ｂ、１４０ｂから各放電セル２７０の内部に各々突出されて一対が互いに対向するように形成される。
【００９８】
一方、本発明の第２実施例で前記第１基板に形成された一対のＸ電極１３０及びＹ電極１４０の間には中間電極１８０が形成され、中間電極１８０上にバス電極１８２が形成される。
【００９９】
前記突出電極１３０ａ、１４０ａは、図１３のように、中心部に凹部（Ａ）が形成され、凹部（Ａ）の両側に平坦部（Ｂ）が形成される。そして、中間電極１８０は突出電極１３０ａ、１４０ａの凹部に対応する部分である中間部分の長さ（ｄ２）が周辺部の長さ（ｄ１）より長い。また、突出電極の凹部（Ｂ）と中間電極の中間部分に重なるようにアドレス電極２１０が形成される。
【０１００】
本発明の第２実施例によると、中間電極１８０と各々の突出電極１３０ａ、１４０ａの間にショートギャップ（ＳＧ）が形成され、突出電極の間にロングギャップ（ＬＧ）が形成され、主放電が最初ショートギャップ（Ｓ）で始まってロングギャップ（Ｌ）に拡大されて放電セル２７０全体に拡散する。
【０１０１】
この時、本発明の第２実施例によると、突出電極１３０ａ、１４０ａの凹部（Ａ）の間のロングギャップの長さ（ＬＧ２）が平坦部（Ｂ）の間のロングギャップの長さ（ＬＧ１）より大きい。したがって、本発明の第２実施例による電極構造によると、アドレス放電が発生する部分であるアドレス電極と中間電極が交差する部分が相対的に広い面積を有するために、アドレシング放電効率が良いという長所がある。また、維持放電に主に関与する突出電極１３０ａの平坦部（Ｂ）と突出電極１４０ａの平坦部（Ｂ）の間の距離（ＬＧ１）を短く設定できるので、維持放電電圧を下げることができるという長所がある。
【０１０２】
前記のように突出電極１３０ａ、１４０ａが凹部（Ａ）と平坦部（Ｂ）を有するように形成されることは、前記対をなす一対の維持放電電極１３０、１４０のうちのどちらか一方に配列される突出電極１３０ａ、１４０ａにのみ形成でき、両方に配列される突出電極１３０ａ、１４０ａの全てに形成されることもある。また、図１３に示した突出電極１３０ａ、１４０ａ及び中間電極１８０の構造は図１５（Ａ）及び図１５（Ｂ）に例示したように多様な変形が可能である。
【０１０３】
以上は本発明の実施例について詳細に説明したが、本発明は前記実施例にだけ限定されず、その他の多様な変形や変更が可能である。つまり、図面と発明の詳細な説明は本発明の例示的なものにすぎず、これは単に本発明を説明するための目的で用いられており、意味限定や特許請求の範囲に記載された本発明の範囲を制限するために用いられたわけはない。したがって本技術分野の通常の知識を有する者であれば、これから様々な変形及び均等な他の実施例が可能であるという点が理解できる。したがって、本発明の真の技術的保護範囲は添付された特許請求の範囲の技術的思想によって決められるべきである。
【図面の簡単な説明】
【０１０４】
【図１】本発明の実施例によるプラズマ表示装置の電極配列図である。
【図２】本発明の第１実施例によるプラズマ表示装置の駆動波形図である。
【図３】本発明の実施例による駆動波形に基づいた壁電荷分布図である。
【図４】本発明の実施例による駆動波形に基づいた壁電荷分布図である。
【図５】本発明の第２実施例によるプラズマ表示装置の駆動波形図である。
【図６】各々本発明の第１実施例によるプラズマ表示装置及び電極配列を示す図面である。
【図７】各々本発明の第１実施例によるプラズマ表示装置及び電極配列を示す図面である。
【図８】本発明の第２実施例によるプラズマ表示装置及び電極配列を示す図面である。
【図９】本発明の第２実施例によるプラズマ表示装置及び電極配列を示す図面である。
【図１０】各々本発明の第１実施例によるプラズマディスプレイパネルの斜視図及び断面図である。
【図１１】各々本発明の第１実施例によるプラズマディスプレイパネルの斜視図及び断面図である。
【図１２】本発明の第１実施例によるプラズマディスプレイパネルの他の例を示す図面である。
【図１３】各々本発明の第２実施例によるプラズマディスプレイパネルの斜視図及び断面図である。
【図１４】各々本発明の第２実施例によるプラズマディスプレイパネルの斜視図及び断面図である。
【図１５】本発明の第２実施例によるプラズマディスプレイパネルの電極構造の例を示す図面である。
【図１６】従来プラズマディスプレイパネルの斜視図である。
【図１７】図１６に示したプラズマディスプレイパネルの断面図である。
【図１８】従来プラズマ表示装置の電極配列図である。
【図１９】従来プラズマ表示装置の駆動波形図である。
【符号の説明】
【０１０５】
３０、２７０  放電セル
４１  第１基板
４４、４４’、２３０  誘電体層
４５  保護膜
４６、１３０ｂ、１４０ｂ  バス電極
４７、１５０  隔壁
４８  蛍光体
５３、１３０  Ｘ電極
５４、１４０  Ｙ電極
５５、２１０  アドレス電極
５６、１８０  Ｍ電極（中間電極）
１００  プラズマディスプレイパネル
１３０ａ、１４０ａ  突出電極
２００  第２基板
３００  Ｙ電極駆動部
４００  Ｘ電極駆動部
５００  Ｍ電極駆動部
５２０  第１Ｍ電極駆動部
５４０  第２Ｍ電極駆動部
６００  制御部
Ａ１〜Ａｍ  アドレス電極
Ｘ１〜Ｘｎ  Ｘ電極
Ｙ１〜Ｙｎ  Ｙ電極
ＳＡ  アドレス駆動制御信号
ＳＸ  Ｙ電極駆動信号
ＳＹ  Ｘ電極駆動信号
【図１】
2005165267.tif 000003
【図２】
2005165267.tif 000004
【図３】
2005165267.tif 000005
【図４】
2005165267.tif 000006
【図５】
2005165267.tif 000007
【図６】
2005165267.tif 000008
【図７】
2005165267.tif 000009
【図８】
2005165267.tif 000010
【図９】
2005165267.tif 000011
【図１０】
2005165267.tif 000012
【図１１】
2005165267.tif 000013
【図１２】
2005165267.tif 000014
【図１３】
2005165267.tif 000015
【図１４】
2005165267.tif 000016
【図１５】
2005165267.tif 000017
【図１６】
2005165267.tif 000018
【図１７】
2005165267.tif 000019
【図１８】
2005165267.tif 000020
【図１９】
2005165267.tif 000021